(57)【要約】【課題】身障者などが使用する際の操作性を良くする。【解決手段】記録用紙を収納する複数の給紙カセット２６と、給紙カセット２６から給紙された記録用紙に画像を形成する画像形成部と、画像形成された記録用紙を排出するトレイ３３と、装置の動作状態の設定・表示を行う操作パネル１０を備えた画像形成装置において、装置を使用する操作者（身障者など）の認証をを行って操作者の障害情報と操作可能範囲を認識し、その認識情報に基づいて特定位置に配置された動作部（例えば最下段の給紙カセット）の使用を禁止する。【選択図】図１
2004070151.tif 000002
【特許請求の範囲】
【請求項１】
記録用紙を収納する複数の給紙カセットと、給紙カセットから給紙された記録用紙に画像を形成する画像形成部と、画像形成された記録用紙を排出するトレイと、装置の動作状態の設定・表示を行う操作パネルと、装置を使用する操作者を認識する認識手段と、その認識手段からの情報に基づいて、特定の位置にある動作部の動作を制限する制御部を備えていることを特徴とする画像形成装置。
【請求項２】
前記制御部が制限を行う動作部は、装置操作範囲の中央部から遠く離れた位置にある動作部であることを特徴とする請求項１記載の画像形成装置。
【請求項３】
前記制御部が動作制限を行う動作部が、前記複数の給紙カセットまたは可動式トレイであることを特徴とする請求項１または２記載の画像形成装置。
【請求項４】
前記給紙カセットの制限内容が、複数の給紙カセットのうち、特定の給紙カセットの使用を禁止する処理であることを特徴とする請求項３に記載の画像形成装置。
【請求項５】
前記トレイの制限内容が、複数のトレイのうち、特定のトレイの使用を禁止する処理、可動トレイの移動範囲を制限する処理、またはトレイ満杯検知に基づく警告処理であることを特徴とする請求項３記載の画像形成装置。
【請求項６】
前記トレイ満杯検知に基づく警告処理を行うにあたり、トレイの高さ位置に応じて警告を発生する満杯量を変化させることを特徴とする請求項５記載の画像形成装置。
【請求項７】
前記制御部の制限を行う制限内容が変更可能であることを特徴とする請求項１〜６のいずれかに記載の画像形成装置。
【請求項８】
前記制御部は操作者を認識した時点で制限内容を報知するように構成されていることを特徴とする請求項１〜７のいずれかに記載の画像形成装置。
【請求項９】
請求項５記載の画像形成装置において、印刷終了後に、前記可動式トレイが予め登録された高さ位置で停止するように構成されていることを特徴とする画像形成装置。
【請求項１０】
請求項５記載の画像形成装置において、印刷終了後に、前記可動式トレイが予め登録された高さ範囲内に移動するように構成されていることを特徴とする画像形成装置。
【請求項１１】
記録用紙を収納する複数の給紙カセットと、給紙カセットから給紙された記録用紙に画像を形成する画像形成部と、画像形成された記録用紙を排出するトレイと、装置の動作状態の設定・表示を行う操作パネルと、装置を使用する操作者を認識する認識手段と、その認識手段からの情報及び前記操作パネルから入力された機能制限情報に基づいて、特定の位置にある動作部の動作を制限する制御部を備えていることを特徴とする画像形成装置。
【請求項１２】
前記動作部の動作を制限する制限情報を、操作者の個人別に管理することを特徴とする請求項１〜１１のいずれかに記載の画像形成装置。
【発明の詳細な説明】
【０００１】
【発明の属する技術分野】
本発明は、複写機などの画像形成装置に関し、さらに詳しくは、健常者だけではなく、身体障害者（以下、身障者という）などの使用を考慮した操作性が良好な画像形成装置に関する。
【０００２】
【従来の技術】
複写機などの画像形成装置を使用する場合、健常者では何ら問題はないが、車椅子を使用しているユーザー、身体の一部に障害のある身障者、あるいは腰痛・関節痛などの一時的ではあるが万全な体調でないユーザーにとっては、装置の使用に支障が生じる場合がある。
【０００３】
例えば、車椅子を使用しているユーザーや腰痛のユーザーでは、画像形成装置の最下段の給紙カセットに記録用紙を補給することや、ビンソータの下段のビンから記録用紙（複写物）を取ることは不可能に近い。
【０００４】
また、画像形成装置の最下段の給紙カセットから給紙し、コピーを行っていても、最下段の記録用紙がエンプティとなった場合には、その最下段の給紙カセットに記録用紙を補給しなれけばならないが、車椅子を使用しているユーザーや腰痛のユーザーでは対応することができず、コピーの継続が不可能になることがある。
【０００５】
このようなことから、身障者などに対応した操作性が良好な画像形成装置の提供が要求されてきている。
【０００６】
画像形成装置の操作性を高める技術として、例えば特開平９−１０１７２７号公報に記載の制御方法がある。この公報に記載の発明では、複写機などの画像形成装置を複数のユーザーで共有して使用する場合に、予め登録されている特定のユーザーのみに給紙カセットの使用を許可し、その他のユーザーについては、費用の掛らないネットワークスキャナなどの使用を許可している。
【０００７】
【発明が解決しようとする課題】
ところで、前記した特開平９−１０１７２７号公報に記載の発明では、健常者を対象として画像形成装置の一部の動作を許可／制限する技術であり、車椅子を使用しているユーザー、身体の一部に障害のある身障者、あるいは腰痛・関節痛などの一時的ではあるが万全な体調でないユーザーを対象として、操作性を改善することは全く考慮されていない。
【０００８】
本発明はそのような実情に鑑みてなされたもので、身障者などであっても支障なく使用することが可能な画像形成装置の提供を目的とする。
【０００９】
【課題を解決するための手段】
本発明の画像形成装置は、記録用紙を収納する複数の給紙カセットと、給紙カセットから給紙された記録用紙に画像を形成する画像形成部と、画像形成された記録用紙を排出するトレイと、装置の動作状態の設定・表示を行う操作パネルと、装置を使用する操作者を認識する認識手段と、その認識手段からの情報に基づいて、特定の位置にある動作部の動作を制限する制御部を備えていることによって特徴づけられる。
【００１０】
本発明の画像形成装置によれば、操作者とその操作者の健康状態（障害状態）などの情報を予め登録しておき、その登録情報に基づいて、使用可能な給紙カセットやトレイ（ビンソータ等）を設定し、使用不可能と判断された機能については、そもそも機能が付いていない装置と同様に、その機能を動作させないことにより、身障者に対する操作性を高めている。
【００１１】
本発明の画像形成装置において、動作制限を行う特定の動作部を、装置操作範囲の中央部から遠くに離れた位置にある動作部、例えば最下段の給紙カセットとし、特定の使用者を認識した時点で最下段の給紙カセットからの給紙を停止するように構成してもよい。このようにすれば、例えば、画像形成装置の最下段の給紙カセットから給紙し、コピーを行っていても最下段の記録用紙がエンプティとなった場合に、コピーの継続が不可能になるといった事態を回避することができる。
【００１２】
また、本発明の画像形成装置において、特定の使用者を認識し、最下段の使用を禁止するという方法だけでなく、最下段の給紙カセットの使用を許可しても、用紙が無くなった場合には最下段の給紙カセットに補給せず、手差しカセットからのコピーを許可するという方法を採用してもよい。
【００１３】
本発明の画像形成装置において、制御部が制限を行う動作部を、給紙カセットまたは可動式トレイ（ビンソータ）とする。例えば、車椅子を使用しているユーザーや腰や脚に障害を持っているユーザーにとっては、画像形成装置の最下段の給紙カセットへの用紙補給や、ビンソータ（トレイ）の下段からの用紙取り出しは不可能であるので、操作者を認識し、操作不能と思われる給紙カセットやビンソータの使用を禁止したり、可動式トレイの動作範囲（高さ範囲）を制限することにより、身障者の操作性が向上する。
【００１４】
また、身障者の障害の内容により、大量の記録用紙を持つことができない場合があるので、このような身障者を認識した場合には、身障者が持てる範囲内の記録用紙の枚数でトレイの満杯を検知し、その満杯検知を利用して、音声・表示等により警告を行うことにより、画像形成後の記録用紙の操作性を向上させることができる。
【００１５】
さらに、身障者の障害の内容により、例えば、最下部のトレイに排紙する記録用紙は片手でしか取り出すことができないが、中央部であると両手を使って記録用紙を取り出すことが可能であるので、トレイの高さにより警告を行う満杯量を変化させることにより、コピー動作を中断することなく最適なコピー動作を継続することが可能になる。
【００１６】
次に、本発明の画像形成装置のより具体的な構成を説明する。
【００１７】
まず、腰痛・けがなどにより一時的に画像形成装置の下部の操作ができないユーザーであっても、日ごと病状が快復すると、画像形成装置の操作範囲が広くなる。また、身障者の場合でも、リハビリテーションなどにより、画像形成装置の操作範囲が広くなることが予測される。
【００１８】
そこで、本発明では、画像形成装置を操作するたびに、動作制限の範囲（内容）を随時変更できるようにする。このようにすると、画像形成装置の操作範囲（利便性が向上）が広がり、最適なコピー動作が可能になる。また、操作者を認識した時点で、その操作者の動作の制限内容を、画面表示などにより報知することにより、操作者に不安を与えることなく、最適な作業環境を提供する。
【００１９】
なお、本発明の画像形成装置において、機能制限を入力するための専用ボタンやキーなどを設けておくと、制限内容の設定・確認・変更操作が容易になり、身障者などの操作性をより一層向上させることができる。
【００２０】
本発明の画像形成装置において、制御部が動作制限を行う動作部が可動式トレイである場合、次のような処理を行う。
【００２１】
まず、可動式トレイ（例えばフィニッシングトレイ）では印刷終了後の停止位置（高さ）は常に規定されている。このような場合、車椅子を使用した身障者等では操作性に問題がある。そこで、身障者などの障害状況によりフィニッシングトレイの高さ設定を変更可能にすることにより、操作性の向上をはかることができる。また、ビンソータの使用時において使用可能なビンソータを設定しても、ビンの高さが異なり操作性が悪い場合がある。そこで、予め登録された範囲内にビンソータを移動させ、ジョブの取り出しを容易にすることで、操作性の向上をはかることができる。
【００２２】
本発明の画像形成装置は、記録用紙を収納する複数の給紙カセットと、給紙カセットから給紙された記録用紙に画像を形成する画像形成部と、画像形成された記録用紙を排出するトレイと、装置の動作状態の設定・表示を行う操作パネルと、装置を使用する操作者を認識する認識手段と、その認識手段からの情報及び前記操作パネルから入力された機能制限情報に基づいて、特定の位置にある動作部の動作を制限する制御部を備えていることによって特徴づけられる。
【００２３】
この発明の画像形成装置によれば、操作者とその操作者の健康状態（障害状態）などの情報を予め登録しておき、その登録情報に基づいて、使用可能な給紙カセットやトレイ（ビンソータ等）を設定し、使用不可能と判断された機能については、そもそも機能が付いていない装置と同様に、その機能を動作させないことにより、身障者に対する操作性を高めている。しかも、操作者とその操作者の健康状態（障害状態）などを操作パネルから随時入力することができるので、ユーザーが画像形成装置を使用する時の体調（健康状態）や、身障者などのリハビリテーションの進行状況などに応じて動作制限内容を容易に変更することが可能になる。
【００２４】
本発明の画像形成装置において、動作部の動作を制限する制限情報を、操作者の個人別に管理するように構成してもよい。具体的には、操作者と操作者の障害情報をサーバーなどを用いて一元管理することにより、複数の画像形成装置を保有していても、それぞれの画像形成装置に制限情報を入力する必要がなく、全ての画像形成装置に対して機能の制限が行われるので、操作者に不安を与えることなく最適な作業環境を提供することが可能となる。
【００２５】
【発明の実施の形態】
以下、本発明の実施形態を図面に基づいて説明する。
【００２６】
図１は本発明を適用する画像形成装置の全体構成を示す側面図である。
【００２７】
図１の画像形成装置１は、例えば、コピー、プリンタ、スキャナ、ファックスの各モードを有するデジタル画像形成装置であり、前面側に操作パネル１０（ＬＣＤ表示画面１０Ａ付き（図３参照））が設けられている。
【００２８】
画像形成装置１の上面には硬質透明ガラス体の原稿台１１が配置されている。原稿台１１の上方に自動原稿送り装置１２が配置されており、原稿台１１の下方に光学ユニット１３が配置されている。
【００２９】
光学ユニット１３の下方には、表面が光導電性材料により構成された感光体ドラム１４が回転自在に支持されている。この感光体ドラム１４の周囲には、帯電器１５、現像器１６、転写器１７及びクリーナ１８が感光体ドラム１４の周面に対向した状態で配置されている。
【００３０】
図１の画像形成装置１において、操作パネル１０の操作によって画像形成プロセスの開始が指示されると、光学ユニット１３が原稿台１１に載置された原稿の画像面を走査し、光学ユニット１３内のコピーランプからの光の原稿画像面における反射光が感光体ドラム１４の表面に照射される。
【００３１】
感光体ドラム１４の表面は、原稿からの反射光の照射に先立って、帯電器１５により単一極性の電荷が均一に帯電されており、原稿からの反射光の照射による光導電作用によって感光体ドラム１４の表面に静電潜像が形成される。静電潜像が形成された感光体ドラム１４の表面には、現像器１６からトナーが供給され、静電潜像が現像剤画像に顕像化される。
【００３２】
画像形成装置１の内部で感光体ドラム１４の下流側に定着器２０が配置されている。この定着器２０と感光体ドラム１４との間に搬送ベルト１９が配置されている。
【００３３】
画像形成装置１の側面に排紙トレイ３３が設けられており、定着器２０と排紙トレイ３３との間に排紙搬送路２２が形成されている。この排紙搬送路２２の一部は、分岐ゲート２５を介して感光体ドラム１４の下方に配置された自動両面給紙装置２３に連続する再搬送路２４に分岐している。
【００３４】
画像形成装置１の下方には、画像形成装置１の前面側から着脱自在に装着される４つの給紙カセット２６が設けらている。各給紙カセット２６はそれぞれ異なるサイズの記録用紙を収納しており、感光体ドラム１４の回転に先立って、４つの給紙カセット２６のいずれか１つのカセットからの記録用紙が給紙ローラ２７を介して給紙される。給紙された記録用紙は、共通搬送路２８を経由して搬送ローラ２９にて感光体ドラム１４方向に搬送され、前端をレジストローラ３０に当接して停止している。
【００３５】
レジストローラ３０は、感光体ドラム１４の回転に同期して回転し、記録用紙を感光体ドラム１４と転写器１７との間の画像形成領域に導く。画像形成領域に導かれた記録用紙は、転写器１７のコロナ放電を受け、感光体ドラム１の表面に担持された現像剤画像が記録用紙の表面に転写される。
【００３６】
現像剤画像が転写された記録用紙は、搬送ベルト１９によって定着器２０に搬送され、定着器２０において加熱及び加圧を受け、記録用紙の表面に現像剤画像が溶融して定着する。
【００３７】
記録用紙の片面に画像を複写する片面複写モード時には、定着器２０を通過した記録用紙は排紙搬送路２２を経由して排紙ローラ３１により排紙口３２から排紙トレイ３３上に排出される。
【００３８】
記録用紙の両面に画像を複写する両面複写モード時には、排紙搬送路２２の一部に分岐ゲート２５が露出し、定着器２０を通過した記録用紙は、搬送ローラ３４を備えた再搬送路２４を経由して自動両面給紙装置２３に搬送される。自動両面給紙装置２３に搬送された記録用紙は、再給紙ローラ３５により前後を反転した状態で給紙され、再搬送ローラ３６により共通搬送路２８を経由して表裏面を反転した状態で再度感光体ドラム１４方向に搬送される。
【００３９】
次に、画像形成装置１の制御系の構成を図２に示すブロック図を参照しながら説明する。
【００４０】
中央処理装置（制御部）１０１は、自動原稿送り装置１２、光学ユニット１３、画像形成部５０、及び記録用紙搬送系６０などの画像形成装置１を構成する各駆動機構部をシーケンス制御により管理するとともに、各部へ制御信号を出力する。
【００４１】
中央処理装置１０１には、操作パネル１０が相互通信可能な状態接続されており、その操作パネル１０の操作により、ユーザーが設定入力した複写モードに応じて、制御信号を中央処理装置１０１に供給して、画像形成装置１をモードに応じて動作させるようになっている。
【００４２】
また、中央処理装置１０１には、メモリ１０２、ソーターコントロールユニット１０３及び画像データ通信ユニット１０４が接続されている。
【００４３】
メモリ１０２には、画像形成装置１を構成する各駆動機構部を制御するのに必要な各種の情報、並びに、後述するユーザーのパスワード及び設定登録された制限情報などが記憶される。
【００４４】
ソーターコントロールユニット１０３は、画像形成装置１から出力される記録用紙（複写物）を仕分けたりする後処理装置の動作を管理する制御ユニットである。画像データ通信ユニット１０４は、画像情報及び画像制御信号などを、他のデジタル画像機器との情報通信を可能にするために設けられた通信ユニットである。
【００４５】
中央処理装置１０１は、画像形成装置１の動作状態を示す制御信号を操作パネル１０に供給する。操作パネル１０側では、中央処理装置１０１からの制御信号により、画像形成装置１が現在どのような動作状態にあるのかをＬＣＤ表示画面１０Ａ（図３参照）に表示するようになっている。さらに、中央処理装置１０１は、操作パネル１０の操作によりユーザーが入力・設定した情報に応じて、後述する設定登録処理、呼び出し処理、コピー動作制御などの処理を行う。
【００４６】
操作パネル１０には、図３に示すように、中央処理装置１０１からの各種情報を表示するためのＬＣＤ表示画面１０Ａが設けられている。また、操作パネル１０には、スタートキー、機能選択キー、モードキー、テンキー、ファンクションキーなどの一般的なキーのほか、ユーザー設定呼び出しキー１０Ｂが設けられている。
【００４７】
次に、画像形成装置１に装着される後処理装置の例を図４及び図５を参照しながら説明する。
【００４８】
図４に示す後処理装置２００は、記録用紙を排出する２つのビン２０１，２０２と、記録用紙の排出先を切り換えるゲート２０３と、記録用紙の排出を確認する排紙センサ２０４と、ビンに排出された記録用紙の有無を確認する用紙有無センサ２０５を備えている。ビン２０１，２０２はモータ２０６の回転により上下に移動するように構成されており、そのビン２０１，２０２の高さ位置を検出するための位置センサ２０７〜２０９が配置されている。
【００４９】
この例の後処理装置２００では、画像形成装置１の中央処理装置１０１（図２）からの制御信号に応じてモータ２０６が駆動制御され、ビン２０１，２０２が図中実線で示す位置と、図中破線で示す位置に選択的に配置される。また、中央処理装置１０１からの制御信号によってゲート２０３の向きが制御され、固定ビン２０１または可動ビン２０２のいずれか一方に記録用紙を選択的に排出するようになっている。
【００５０】
図５に示す後処理装置３００は、複数のビン３０１〜３０８を備えた排紙トレイ３１０と排紙ローラ３２０を備えており、画像形成装置１から送られてきた記録用紙を排紙ローラ３２０によってビン３０１〜ビン３０８のいずれかに排出する構造となっている。
【００５１】
ビン３０１〜３０８には、それぞれ記録用紙の排出を確認する排紙センサ３２１が配置されている。また、ビン３０１〜３０８に排出された記録用紙の有無を確認する用紙有無センサ３２２が装置下部に配置されている。
【００５２】
排紙トレイ３１０はモータ３３０の回転により上下に移動する。例えば図５に示す状態では、ビン３０１が用紙排出位置（排紙ローラ３２０と対向する位置）に配置されているが、モータ３３０による排紙トレイ３１０の上下移動により、他のビン３０２〜ビン３０３のいずれかを用紙排出位置に選択的に配置することができる。
【００５３】
排紙トレイ３１０の上下移動時において、各ビン３０１〜３０８の上下移動と連動して移動するアクチエータ３４０・・３４０を位置センサ３５０が検出することにより、ビン３０１〜３０８の正確な位置検出が可能である。
【００５４】
また、各ビン３０１〜３０８には用紙有無センサ３２２が設けてあるので、ユーザーが用紙排出位置にあるビンから記録用紙を取り除いたことを検出した場合には、記録用紙の存在する他のビンをユーザーの操作可能な高さに移動させるという駆動制御も可能である。なお、後処理装置３００の下部には下限センサ３７０が配置されている。
【００５５】
また、この例の後処理装置３００には、トレイ移動キー（ＵＰキー／Ｄｏｗｎキー）３６０が設けられており、このトレイ移動キー３６０をユーザーが操作することにより、手動でトレイ高さ（ビン高さ）を任意の位置に設定することも可能である。なお、この後処理装置３００のモータ３３０も画像形成装置１の中央処理装置１０１からの制御信号によって駆動制御される。
【００５６】
次に、本実施形態で実行する各処理を説明する。
【００５７】
＜身障者用制限条件の設定登録処理＞
身障者の制限条件を設定登録する際の処理を、図６のフローチャートを参照しながら説明する。
【００５８】
まず、ユーザー登録設定モードにおいて、操作パネル１０のＬＣＤ表示画面１０Ａに、図１７（ａ）に示すユーザー設定画面が表示され、この表示画面において「身障者設定」の項目が選択されると（ステップＳ１０１）、図１７（ｂ）に示す身障者設定画面が表示される。なお、身障者設定を行わない場合は、通常ユーザー登録画面が操作パネル１０に表示される（ステップＳ１０９）。
【００５９】
次に、ユーザーが足の不自由な身障者であり、その旨が操作入力されると、カセット段数を制限する情報を設定登録する（ステップＳ１０２、Ｓ１１０）。具体的には、図１７（ｂ）に示す身障者設定画面において、「足が不自由な方ですか」の項目を選択すると、図１８（ａ）に示す設定画面が表示され、この画面表示において「カセット段数設定」の項目を選択すると、図１８（ｂ）に示すカセット段数設定時画面が表示され、この表示画面において使用可能なカセット段数を設定するという操作により、カセット段数の制限情報を設定登録する。この例では、カセット１段目、カセット２段目、手差しトレイのみが使用可能であるという制限設定を行う。
【００６０】
ユーザーが目の不自由な身障者である場合、ＬＣＤ表示文字拡大・音声ガイダンスＯＮを実行する旨の情報を設定登録する（ステップＳ１０３、Ｓ１１１）。この場合の設定は、図１７（ｂ）の身障者設定画面において、「目が不自由な方ですか」の項目を選択し、次いで図１８（ａ）の設定画面において「音声表示設定」の項目を選択するという要領で行う。
【００６１】
ユーザーが手の不自由な身障者である場合、フィニッシャー満杯検知制限・ソータートレイ段数制限の制限情報を設定登録する（ステップＳ１０４、Ｓ１１２）。この場合の設定は、図１７（ｂ）の身障者設定画面において、「手が不自由な方ですか」の項目を選択し、次いで図１８（ａ）の設定画面において「排出環境設定」の項目を選択して行う。
【００６２】
以上の設定が完了すると（ステップＳ１０５）、ユーザーはユーザー名（パスワード）を入力し（図１９のパスワード登録画面参照）、ユーザー登録が確認された後に登録処理を完了する（ステップＳ１０６〜Ｓ１０８）。
【００６３】
＜登録情報の呼び出し処理（１）＞
前記した図６の処理にて登録した身障者用制限条件を呼び出す際の処理を、図７のフローチャートを参照しながら説明する。
【００６４】
まず、操作パネル１０のユーザー設定呼び出しキー１０Ｂ（図３）が押され（ステップＳ１２１）、身障者設定パスワードが入力された時点（ステップＳ１２２）で、登録情報呼び出し処理が開始される（ステップＳ１２３）。なお、ユーザー設定呼び出しキー１０Ｂが押されていないときには通常状態での操作が実行される（ステップＳ１２９）。また、入力されたパスワードが身障者設定パスワードでない場合には、通常ユーザー登録呼び出し処理が実行される（ステップＳ１３０）。
【００６５】
呼び出し処理が開始されると、以下の処理にて身障者用制限条件が呼び出される。
【００６６】
ユーザーの障害情報が「足が不自由である」の場合、カセット１段目、カセット２段目、手差しトレイのみが使用可能であるという制限情報が呼び出される（ステップＳ１２４、Ｓ１３１）。また、フィニッシャーが装着されている場合は「昇降トレイの高さ制限ＯＮ」に関する制限情報が呼び出される（ステップＳ１３２、Ｓ１３３）。なお、ソーターが装着されている場合はソータートレイ段数制限の制限情報が呼び出される。
【００６７】
ユーザーの障害情報が「目が不自由である」の場合、ＬＣＤ表示文字拡大・音声ガイダンスＯＮを実行する旨の情報が呼び出される（ステップＳ１２５、Ｓ１３４）。
【００６８】
ユーザーの障害情報が「手が不自由である」の場合、フィニッシャー満杯検知制限の制限情報が呼び出される（ステップＳ１２６、Ｓ１３５）。
【００６９】
そして、以上の制限情報の呼び出しが完了すると（ステップＳ１２７）、それら制限情報をマシン状態に反映して処理を完了する（ステップＳ１２８）。
【００７０】
＜コピー動作（足が不自由な身障者用の処理）＞
ユーザーが足の不自由な身障者である場合のコピー動作の処理例を、図８のフローチャートを参照しながら説明する。なお、この処理例において、画像形成装置１に装着されるフィニッシャーには満杯検知を検知するセンサを備えているものとする。
【００７１】
まず、足の不自由なユーザーのモードを呼び出した後（ステップＳ１４１）、コピー作業を開始する（ステップＳ１４２）。コピー作業は、原稿セット、原稿サイズ確認、用紙カセットサイズ自動検知、相当用紙サイズ自動検知、及び、カセット自動選択の順で行う（ステップＳ１４３〜Ｓ１４７）。なお、ユーザーのモードを呼び出したときに、動作の制限内容を操作パネル１０に表示しておく。その制限内容を示す表示例と通常の表示例を図２０（ａ）及び（ｂ）に示す。
【００７２】
次に、同サイズの用紙カセット内の記録用紙が空であるか否かを判定する（ステップＳ１４８）。用紙カセット内が空でない場合、コピー枚数等をセットしてコピー出力を開始する（ステップＳ１４９、Ｓ１５０）。
【００７３】
一方、用紙カセット内が空である場合、同サイズが設定されたカセットが１段目と２段目にあり、カセットが空であるか否かを判定し（ステップＳ１５４）、その判定結果が「Ｙｅｓ」である場合、記録用紙を挿入する旨を操作パネル１０のＬＣＤ表示画面１０Ａに表示する（ステップＳ１５５）。ステップＳ１５４での判定が「Ｎｏ」である場合、手差しにトレイ（カセット）を切り替えて記録用紙を挿入するメッセージを操作パネル１０のＬＣＤ表示画面１０Ａに表示し（ステップＳ１５７）、記録用紙が挿入されたことを認識した後に（ステップＳ１５６）、ステップＳ１４９に移行する。
【００７４】
ステップＳ１５０においてコピー出力を開始した後に、用紙カセット内の記録用紙が空である否かを判定し（ステップＳ１５１）、用紙カセット内に記録用紙がある場合、フィニッシャーの満杯検知ＯＮつまり身障者用満杯検知レベルに達したか否かを判定する（ステップＳ１５２）。その判定結果が「Ｎｏ」の場合、印字を終了して処理を完了する（ステップＳ１５３）。ステップＳ１５２の判定結果が「Ｙｅｓ」の場合、印字完了記録用紙が除去されたことを確認した後（ステップＳ１５８、Ｓ１５９）、印字作業を再開する（ステップＳ１６０）。
【００７５】
一方、コピー出力を開始した後に、用紙カセット内の記録用紙が空となった場合（ステップＳ１５１の判断結果が「Ｙｅｓ」である場合）、同じサイズの記録用紙が入っているカセットが他にあるか否かを判定する（ステップＳ１６１）。その判定が「Ｙｅｓ」である場合、使用するカセットを自動的に切り替えた後（ステップＳ１６７）、ステップＳ１５０に戻る。
【００７６】
ステップＳ１６１での判断結果が「Ｎｏ」である場合、３段目と４段目のカセットが空であるか否かを判定する（ステップＳ１６２）。その判断結果が「Ｙｅｓ」である場合、同サイズが設定されたカセットが１段目と２段目にあり、カセットが空であるか否かを判定し（ステップＳ１６８）、その判定結果が「Ｙｅｓ」である場合、対象カセットを切り替え（ステップＳ１６９）、「Ｎｏ」である場合、手差しにトレイ（カセット）を切り替えて記録用紙を挿入するメッセージを操作パネル１０のＬＣＤ表示画面１０Ａに表示し（ステップＳ１７０、Ｓ１７１）、ステップＳ１６４に戻る。
【００７７】
３段目・４段目のカセットが空でない場合（ステップＳ１６２の判断結果が「Ｎｏ」である場合）、あるいは対象カセットの切り替え（ステップＳ１６９）を行った場合、対象カセットに記録用紙を挿入するか、もしくは手差しに記録用紙を挿入し（ステップＳ１６３）、手差しに記録用紙が挿入された場合、手差しにトレイを切り替えて印字作業を再開する（ステップＳ１６５、Ｓ１６６）。
【００７８】
＜コピー動作（手が不自由な身障者用の処理）＞
ユーザーが手の不自由な身障者である場合のコピー動作の例を、図９のフローチャートを参照しながら説明する。なお、この例において、画像形成装置１に装着されるフィニッシャーには、身障者用満杯検知レベルつまり出力可能枚数（身障者が持てる範囲の記録用紙の数：ｍ枚）を検知する満了検知センサを備えているものとする。
【００７９】
まず、手の不自由なユーザーのモードを呼び出した後（ステップＳ１８１）、コピー作業を開始する（ステップＳ１８２）。コピー作業は、原稿セット、原稿サイズ確認、用紙カセットサイズ自動検知、相当用紙サイズ自動検知、カセット自動選択、及びコピー枚数等のセットの順で行う（ステップＳ１８３〜ステップＳ１８８）。なお、ユーザーのモードを呼び出したときに、動作の制限内容を操作パネル１０に表示しておいてもよい（図２０（ｂ）参照）。
【００８０】
コピー出力を開始すると、用紙カセット内の記録用紙が空であるか否かを判定し（ステップＳ１９０）、記録用紙が空である場合、記録用紙を用紙カセットに挿入する（ステップＳ１９３）。
【００８１】
用紙カセット内の記録用紙が空でない場合、フィニッシャーにおいて出力可能枚数カウントがｍ枚に到達したか否かの判定、つまり身障者用満杯検知レベルになった否かを判定し（ステップＳ１９１）、その判定結果が「Ｎｏ」である場合、印字を終了して処理を完了する。一方、ステップＳ１９１の判定結果が「Ｙｅｓ」である場合、「満杯」のメッセージを操作パネル１０に表示する（ステップＳ１９４）。その表示例を図２１（ｂ）に示す。次に、排紙を継続させるか否かを判定して（ステップＳ１９５）、排紙を継続させない場合、記録用紙が除去されたことを確認した後（ステップＳ１９６）、ステップＳ１８９に戻る。排紙を継続させる場合はコピー出力を再開し（ステップＳ１９７）、ジョブが終了したことを確認した後に印字を終了して処理を完了する（ステップＳ１９８、Ｓ１９９）。
【００８２】
＜身障者用制限条件の設定登録処理（フィニッシャー対象）＞
フィニッシャーが装着されている画像形成装置１に対して、身障者用制限条件を設定登録する際の処理について、図１０のフローチャートを参照しながら説明する。
【００８３】
まず、ユーザー登録設定モードにおいて、操作パネル１０に、図１７（ｂ）に示すユーザー設定画面が表示され、この表示画面に表示された３つの項目のいずれか１つを選択すると、図１８（ａ）に示す身障者設定画面が表示される（ステップＳ２０１）。なお、身障者設定を行わない場合は、通常ユーザー登録画面が操作パネル１０に表示される（ステップＳ２１０）。
【００８４】
図１８（ａ）の身障者設定画面において「カセット段数設定」が選択された場合（ステップＳ２０２）、図１８（ｂ）に示すカセット段数設定時画面が表示され、この表示画面において使用可能なカセット段数を設定する（ステップＳ２１２、Ｓ２１２）。
【００８５】
図１８（ａ）の身障者設定画面において「排出環境設定」の項目（フィニッシャー設定作業）が選択された場合（ステップＳ２０３）、フィニッシャー高さを設定するか、もしくはフィニッシャー満杯枚数を設定する（ステップＳ２１３〜ステップＳ２１５）。
【００８６】
図１８（ａ）の身障者設定画面において「画面表示設定」の項目（表示文字サイズ変更）が選択された場合（ステップＳ２０４）、表示文字サイズの変更を行う（ステップＳ２１６、Ｓ２１７）。
【００８７】
図１８（ａ）の身障者設定画面において「音声表示設定」の項目が選択された場合（ステップＳ２０５）、音声ＯＮ／ＯＦＦの設定を行う（ステップＳ２１８、ステップＳ２１９）。
【００８８】
以上の設定が完了すると（ステップＳ２０６）、ユーザーはユーザー名（パスワード）を入力し（図１９のパスワード登録画面参照）、ユーザー登録が確認された後に登録処理を完了する（ステップＳ２０７〜ステップＳ２０９）。
【００８９】
ここで、既に設定登録されている情報の内容を変更する場合、ユーザー登録変更設定モードにおいて、図１９に示すパスワード入力画面が表示され、この表示画面においてパスワードを入力すると（ステップＳ２２０）、現状の登録情報が呼び出される（ステップＳ２２１）。なお、パスワード入力により呼び出された現状の登録情報は操作パネル１０に表示される。その表示例を図２２に示す。
【００９０】
そして、ユーザー登録変更を行う場合、前記したステップＳ２０１〜ステップＳ２１９と同じ処理にて新たな情報を設定登録すればよい。
【００９１】
このように、登録情報の変更処理を追加しておくことにより、ユーザーが画像形成装置１を使用する時の体調（健康状態）や、身障者などのリハビリテーションの進行状況などに応じて動作制限内容を随時変更することが可能になる。
【００９２】
＜身障者用制限条件の設定登録処理（ソーター対象）＞
ソーター（例えば図５に示す後処理装置３００）が装着されている画像形成装置１に対して、身障者用制限条件を設定登録する際の処理について、図１１のフローチャートを参照しながら説明する。
【００９３】
まず、ユーザー登録設定モードにおいて、操作パネル１０に、図１７（ｂ）に示すユーザー設定画面が表示され、この表示画面に表示された３つの項目のいずれか１つを選択すると、図１８（ａ）に示す身障者設定画面が表示される（ステップＳ２３１）。なお、身障者設定を行わない場合は、通常ユーザー登録画面が操作パネル１０に表示される（ステップＳ２４０）。
【００９４】
図１８（ａ）の身障者設定画面において「カセット段数設定」が選択された場合（ステップＳ２３２）、図１８（ｂ）に示すカセット段数設定時画面が表示され、この表示画面において使用可能なカセット段数を設定する（ステップＳ２４１、Ｓ２４２）。
【００９５】
図１８（ａ）の身障者設定画面において「排出環境設定」の項目（ソーター設定作業）が選択された場合（ステップＳ２３３）、ソーターの段数を設定するか、もしくはソーターの各段の満杯枚数を設定する（ステップＳ２４３〜ステップＳ２４５）。
【００９６】
図１８（ａ）の身障者設定画面において「画面表示設定」の項目（表示文字サイズ変更）が選択された場合（ステップＳ２３４）、表示文字サイズの変更を行う（ステップＳ２４６、Ｓ２４７）。
【００９７】
図１８（ａ）の身障者設定画面において「音声表示設定」の項目が選択された場合（ステップＳ２３５）、音声ＯＮ／ＯＦＦの設定を行う（ステップＳ２４８、ステップＳ２４９）。
【００９８】
以上の設定が完了すると（ステップＳ２３６）、ユーザーはユーザー名（パスワード）を入力し（図１９のパスワード登録画面参照）、ユーザー登録が確認された後に登録処理を完了する（ステップＳ２３７〜ステップＳ２３９）。
【００９９】
ここで、既に設定登録されている情報の内容を変更する場合、ユーザー登録変更設定モードにおいて、図１９に示すパスワード入力画面が表示され、この表示画面においてパスワードを入力すると（ステップＳ２５０）、現状の登録情報が呼び出される（ステップＳ２５１）。なお、パスワード入力により呼び出された現状の登録情報は操作パネル１０に表示される。その表示例を図２２に示す。
【０１００】
そして、ユーザー登録変更を行う場合、前記したステップＳ２３１〜ステップＳ２４９と同じ処理にて新たな情報を設定登録すればよい。
【０１０１】
このように、登録情報の変更処理を追加しておくことにより、ユーザーが画像形成装置１を使用する時の体調（健康状態）や、身障者などのリハビリテーションの進行状況などに応じて動作制限内容を随時変更することが可能になる。
【０１０２】
＜登録情報の呼び出し処理（２）＞
前記した図１０及び図１１の各処理にて登録した身障者用制限条件を呼び出す際の処理を、図１２のフローチャートを参照しながら説明する。
【０１０３】
まず、操作パネル１０のユーザー設定呼び出しキー１０Ｂが押され（ステップＳ２７１）、次いで身障者設定パスワードが入力された時点（ステップＳ２７２）で、登録情報呼び出し処理が開始される（ステップＳ２７３）。なお、ユーザー設定呼び出しキー１０Ｂが押されていないときには通常状態での操作が実行される（ステップＳ２８２）。また、入力されたパスワードが身障者設定パスワードでない場合には、通常ユーザー登録呼び出し処理が実行される（ステップＳ２８３）。
【０１０４】
呼び出し処理が開始されると、ユーザーの登録情報に基づいて、以下の処理が実行される。
【０１０５】
ユーザーの障害情報が「足が不自由である」の場合、カセット１段目、カセット２段目、手差しトレイのみが使用可能であるという制限情報が呼び出される（ステップＳ２７４、Ｓ２８４）。また、フィニッシャーが装着されている場合は「昇降トレイの高さ制限ＯＮ」に関する制限情報が呼び出される（ステップＳ２８５、Ｓ２８６）。なお、ソーターが装着されている場合はソータートレイ段数制限の制限情報が呼び出される。
【０１０６】
ユーザーの障害情報が「目が不自由である」の場合、ＬＣＤ表示文字拡大・音声ガイダンスＯＮを実行する旨の情報が呼び出される（ステップＳ２７５、Ｓ２８７）。
【０１０７】
ユーザーの障害情報が「手が不自由である」の場合、フィニッシャー満杯検知制限の制限情報が呼び出される（ステップＳ２７６、Ｓ２８８）。
【０１０８】
そして、以上の制限情報の呼び出しが完了すると（ステップＳ２７７）、それら制限情報（設定状態）をマシン状態に反映し（ステップＳ２７８）、さらに、設定状態の詳細をＬＣＤ表示するデータを作成する（ステップＳ２７９）。この後、ｎ秒間が経過するか、もしくは表示ＯＫキーが操作された時点で（ステップＳ２８０）、操作パネル１０のＬＣＤ表示画面１０Ａに設定情報を表示して処理を完了する（ステップＳ２８１）。ＬＣＤ表示画面１０Ａへの設定情報制限情報の表示例を図２２に示す。
【０１０９】
＜身障者用制限条件の設定登録処理（サーバー管理）＞
複数の画像形成装置がネットワークを介してサーバーに接続されているシステムにおいて、身障者用制限条件をサーバーに設定登録する際の処理について、図１３のフローチャートを参照しながら説明する。
【０１１０】
まず、図１３の処理において、ステップＳ３０１〜ステップＳ３０８及びステップＳ３１０〜ステップＳ３２１の処理は、前記した図１０のステップＳ２０１〜Ｓ２０８及びステップＳ２１０〜ステップＳ２２１の処理（または前記した図１１のステップＳ２３１〜Ｓ２３８及びステップＳ２４０〜ステップＳ２５１の処理）と同じであるので、その詳細な説明は省略する。
【０１１１】
この図１３の処理では、ステップＳ３０８において、ユーザーの登録が完了した後、サーバー登録フロー（ステップＳ３３０）に移行する。
【０１１２】
サーバー登録フローでは、まず、サーバーにアクセスして（ステップＳ３３１）、パスワードを確認し（ステップＳ３３２）、同じパスワードが既に登録されているか否かを判定する（ステップＳ３３３）。
【０１１３】
確認したパスワードが既に使用されている場合（ステップＳ３３３の判定結果が「Ｙｅｓ」である場合）、その旨を現在操作中の画像形成装置１に送信してステップＳ３０７に戻る（ステップＳ３３８）。
【０１１４】
確認したパスワードが未使用である場合（ステップＳ３３３の判定結果が「Ｎｏ」である場合）、ネットワーク上の全てのマシンに同じ設定を行うとともに、ネットワーク上のマシンに情報登録を転送して、サーバー登録フローを完了する（ステップＳ３３４〜Ｓ３３７）。
【０１１５】
＜ジョブ終了後のフィニッシャー制御＞
ジョブ終了後においてフィニッシャーを制御する際の処理を、図１４のフローチャートを参照しながら説明する。
【０１１６】
まず、身障者登録情報を呼び出した後、印字動作を開始する（ステップＳ４０１、Ｓ４０２）。
【０１１７】
身障者設定高さでのフィニッシャーの満杯検知が開始されていない状態で（ステップＳ４０３）、トレイ中限高さセンサＯＮ、満杯検知ＯＮとなったときには（ステップＳ４０４）、満杯検知のメッセージを操作パネル１０に表示する（ステップＳ４１１）。次に、用紙有無センサがＯＦＦつまり記録用紙がフィニッシャーから除去されたことを確認し（ステップＳ４１２）、印字可能のメッセージを操作パネル１０に表示する（ステップＳ４１３）。以上の処理をジョブが終了するまで実行する（ステップＳ４０５）。
【０１１８】
一方、トレイ中限高さセンサがＯＦＦ（ステップＳ４０４の判断結果が「Ｎｏ」）であり、トレイ上限高さセンサがＯＮである場合、トレイ（ビン）を移動（下方への移動）させ（ステップＳ４０７）、トレイ中限センサがＯＮとなった時点でトレイの移動を停止する（ステップＳ４０８、Ｓ４０９）。そして、用紙有無センサがＯＦＦつまり記録用紙がフィニッシャーから除去されたことを確認した時点で処理を完了する（ステップＳ４１０）。
【０１１９】
＜ジョブ終了後のソーター制御（自動）＞
ジョブ終了後においてソーター（図５に示す後処理装置３００）を自動で制御する際の処理を、図１５のフローチャートを参照しながら説明する。
【０１２０】
まず、身障者登録情報を呼び出した後、印字動作を開始する（ステップＳ５０１、Ｓ５０２）。
【０１２１】
ソートまたはグループが選択されているか否かを判定し（ステップＳ５０３）、その判定結果が「Ｎｏ」である場合、ソーターが不使用であるので通常トレイに記録用紙を排紙する（ステップＳ５１１）。次に、排紙枚数制限が設定されているか否かを判断し（ステップＳ５１２）、設定されてい場合は、排紙枚数をカウントして満杯を表示する（ステップＳ５１３）。なお、排紙枚数制限が設定されていない場合は通常制御に戻る（ステップＳ５１０）。
【０１２２】
ステップＳ５０３の判断結果が「Ｙｅｓ」つまりソートまたはグループが選択されている場合は、部数を検知してソート作業またはグループ作業を開始する（ステップＳ５０４、Ｓ５０５）。そして、印刷処理が終了した後、ソーターの制限内容「ソーターのＭ段目（３段目）のビン〜Ｎ段目（７段目）のビンを使用」が設定されている場合（ステップＳ５０７）、記録用紙の除去メッセージを操作パネル１０に表示し（ステップＳ５０８）、次いで用紙有無センサがＯＦＦつまり記録用紙がソーターから除去されたことを確認した時点で処理を完了する（ステップＳ５０９）。
【０１２３】
一方、ソーターの制限内容が設定されていない場合（ステップＳ５０７の判断結果が「Ｎｏ」である場合）、排紙トレイを上下移動し（ステップＳ５１４）、予め設定された特定のビンのアクチュエータ３４０がＯＮなった時点で、ピンの移動を停止するとともに、記録用紙の除去メッセージを操作パネル１０に表示する（ステップＳ５１５〜Ｓ５１８）。
【０１２４】
そして、用紙有無センサがＯＦＦつまり記録用紙がソーターから除去されたことを確認した後（ステップＳ５１８）、ソーターの他のビンに記録用紙があるか否かを判定し（ステップＳ５１９）、記録用紙がある場合はステップＳ５１４に戻り、記録用紙がない場合は処理を完了する。
【０１２５】
＜ジョブ終了後のソーター制御（手動）＞
ジョブ終了後においてソーター（図５に示す後処理装置３００）を手動で制御する際の処理を、図１６のフローチャートを参照しながら説明する。
【０１２６】
まず、身障者登録情報を呼び出した後、印字動作を開始する（ステップＳ５３１、Ｓ５３２）。
【０１２７】
ソートまたはグループが選択されているか否かを判定し（ステップＳ５３３）、その判定結果が「Ｎｏ」である場合、ソーターが不使用であるので通常トレイに記録用紙を排紙する（ステップＳ５４１）。次に、排紙枚数制限が設定されているか否かを判断し（ステップＳ５４２）、設定されてい場合は、排紙枚数をカウントして満杯を表示する（ステップＳ５４３）。なお、排紙枚数制限が設定されていない場合は通常制御に戻る（ステップＳ５４０）。
【０１２８】
ステップＳ５３３の判断結果が「Ｙｅｓ」つまりソートまたはグループが選択されている場合は、部数を検知してソート作業またはグループ作業を開始する（ステップＳ５３４、Ｓ５３５）。
【０１２９】
そして、印刷処理が終了した後（ステップＳ５３６）、排紙トレイ移動キー（ＵＰキーまたはＤｏｗｎキー）３６０が操作されると（ステップＳ５３７）、排紙トレイを移動し（ステップＳ５４４）、キー操作が解除された時点で、排紙トレイの移動を停止するとともに、記録用紙の除去メッセージを操作パネル１０に表示する（ステップＳ５４５〜Ｓ５４７）。次に、用紙有無センサがＯＦＦつまり記録用紙がソーターから除去されたことを確認した後、ソーターの他のビンに記録用紙があるか否かを判定し（ステップＳ５４８）、記録用紙がある場合は、記録用紙の除去メッセージを操作パネル１０に表示してステップＳ５３７に戻り（ステップＳ５５０）、記録用紙がない場合は処理を完了する。
【０１３０】
一方、印刷処理が終了した後に、排紙トレイ移動キー３６０のキー操作が行われない場合（ステップＳ５３７の判断結果が「Ｎｏ」である場合）は、記録用紙の除去メッセージを操作パネル１０に表示し（ステップＳ５３８）、次いで用紙有無センサがＯＦＦつまり記録用紙がソーターから除去されたことを確認した時点で処理を完了する（ステップＳ５３９）。
【０１３１】
ここで、以上の各実施形態において、複数のトレイ（ビン）に排紙する記録用紙の満杯検知レベルを、全てのトレイにおいて同じレベルに設定しておいてもよいが、身障者などのユーザーが操作しやすい位置（例えば装置高さ方向の中央部）のトレイの満杯検知レベルを最大とし、その中央部から遠ざかるに従って満杯検知レベルを段階的に低くするというような形態で、各トレイの満杯検知レベルを設定してもよい。
【０１３２】
【発明の効果】
以上説明したように、本発明によれば、記録用紙を収納する複数の給紙カセットと、給紙カセットから給紙された記録用紙に画像を形成する画像形成部と、画像形成された記録用紙を排出するトレイと、装置の動作状態の設定・表示を行う操作パネルを備えた画像形成装置において、装置を使用する操作者を認識する認識手段と、その認識手段からの情報に基づいて、特定の位置にある動作部の動作を制限する制御部を設けているので、身障者などが操作不可能な動作部の動作を制限することが可能となり、身障者などが画像形成装置を使用する際の操作性が向上する。
【０１３３】
また、操作者とその操作者の健康状態（障害状態）などの情報を操作パネルから随時に入力・変更できるように構成しているので、操作者が画像形成装置を使用する時の体調（健康状態）や、身障者などのリハビリテーションの進行状況などに応じて動作制限内容を容易に変更することが可能になる。
【図面の簡単な説明】
【図１】本発明を適用する画像形成装置の全体構成を示す側面図である。
【図２】本発明の実施形態の制御系の構成を示すブロック図である。
【図３】操作パネルの正面図である。
【図４】画像形成装置に装着する後処理装置の一例を示す側面図である。
【図５】画像形成装置に装着する後処理装置の他の例を示す側面図である。
【図６】本発明の実施形態において実行する身障者用制限条件の設定登録処理の内容を示すフローチャートである。
【図７】本発明の実施形態において実行する登録情報の呼び出し処理の内容を示すフローチャートである。
【図８】本発明の実施形態のコピー動作の一例を示すフローチャートである。
【図９】本発明の実施形態のコピー動作の他の例を示すフローチャートである。
【図１０】本発明の実施形態において実行する身障者用制限条件の設定登録処理（フィニッシャー対象）の内容を示すフローチャートである。
【図１１】本発明の実施形態において実行する身障者用制限条件の設定登録処理の内容（ソーター対象）を示すフローチャートである。
【図１２】本発明の実施形態において実行する登録情報の呼び出し処理の内容を示すフローチャートである。
【図１３】本発明の実施形態において実行する身障者用制限条件の設定登録処理（サーバー管理）の内容を示すフローチャートである。
【図１４】本発明の実施形態においてジョブ終了後に実行するフィニッシャー制御の内容を示すフローチャートである。
【図１５】本発明の実施形態においてジョブ終了後に実行するソーター制御（自動）の内容を示すフローチャートである。
【図１６】本発明の実施形態においてジョブ終了後に実行するソーター制御（手動）の内容を示すフローチャートである。
【図１７】操作パネルの表示例を示す図である。
【図１８】操作パネルの表示例を示す図である。
【図１９】操作パネルの表示例を示す図である。
【図２０】操作パネルの表示例を示す図である。
【図２１】操作パネルの表示例を示す図である。
【図２２】操作パネルの表示例を示す図である。
【符号の説明】
１　画像形成装置
１０　操作パネル
１０Ａａ　ＬＣＤ表示画面
１０Ｂ　ユーザー設定呼び出しキー
２６　給紙カセット
１２　自動原稿送り装置
１３　光学ユニット
５０　画像形成部
６０　記録用紙搬送系
１０１　中央処理装置（制御部）
１０２　メモリ
１０３　ソーターコントロールユニット
１０４　画像データ通信ユニット
２００　後処理装置
２０１，２０２　ビン
２０３　ゲート
２０４　排紙センサ
２０５　用紙有無センサ
２０６　モータ
２０７〜２０９　位置センサ
３００　後処理装置（ソーター）
３０１〜３０８　ビン
３１０　排紙トレイ
３２０　排紙ローラ
３２１　排紙センサ
３２２　用紙有無センサ
３３０　モータ
３４０　アクチュエータ
３５０　位置センサ
３６０　トレイ移動キー
【図１】
2004070151.tif 000003
【図２】
2004070151.tif 000004
【図３】
2004070151.tif 000005
【図４】
2004070151.tif 000006
【図５】
2004070151.tif 000007
【図６】
2004070151.tif 000008
【図７】
2004070151.tif 000009
【図８】
2004070151.tif 000010
【図９】
2004070151.tif 000011
【図１０】
2004070151.tif 000012
【図１１】
2004070151.tif 000013
【図１２】
2004070151.tif 000014
【図１３】
2004070151.tif 000015
【図１４】
2004070151.tif 000016
【図１５】
2004070151.tif 000017
【図１６】
2004070151.tif 000018
【図１７】
2004070151.tif 000019
【図１８】
2004070151.tif 000020
【図１９】
2004070151.tif 000021
【図２０】
2004070151.tif 000022
【図２１】
2004070151.tif 000023
【図２２】
2004070151.tif 000024